【誤訳訂正書】
【提出日】平成18年7月14日(2006.7.14)
【誤訳訂正１】
【訂正対象書類名】明細書
【訂正対象項目名】全文
【訂正方法】変更
【訂正の内容】
【書類名】      明細書
【発明の名称】  化学組成物
【特許請求の範囲】
【請求項１】
ａ）水性媒体；
ｂ）着色料；及び
ｃ）以下の式（１）：
Ｍ［Ｘ］n          （１）
［式中：
Ｍは、銅、ニッケル、コバルト又はマンガンカチオンであり；
Ｘは、少なくとも４個の炭素原子を含むカルボン酸アニオンであり；そして
ｎは、１以上２以下である；］
の化合物；
を含むインク。
【請求項２】
更なる有機酸を含む、請求項１に記載のインク。
【請求項３】
前記式（１）に記載の化合物が、Ｘで示される基及びＭで示されるカチオン間の錯体の形である、請求項１又は２のいずれか１項に記載のインク。
【請求項４】
Ｘが、Ｍの二座配位又は多座配位リガンドである、請求項１ないし３のいずれか１項に記載のインク。
【請求項５】
Ｘが、グルコン酸、４−又は５−スルホサリチル酸、１−ヒドロキシ−２−カルボキシ−５−スルホナフタレン、４−又は５−スルホアントラニル酸、４−スルホ−Ｎ−フェニルアントラニル酸、４−又は５−ヒドロキシチオサリチル酸、４−又は５−スルホチオサリチル酸、２，４−ジカルボキシチオフェノール、４−スルホフタル酸、１−ヒドロキシ−２，４−ジカルボキシナフタレン、２−アミノ−３−ヒドロキシ安息香酸、２，４，５−トリヒドロキシ安息香酸、２，２’−ジチオサリチル酸、１−チオ−２−カルボキシ−４−スルホナフタレン及び１−アミノ−２−カルボキシ−４−スルホナフタレン、エチレンジアミン四酢酸、クエン酸、酒石酸、Ｌ−チロシン、リンゴ酸、粘液酸、キナ酸、ケリドン酸、３，３’−チオジプロピオン酸、メソ−２，３−ジメルカプトコハク酸、メルカプトコハク酸、２−イソプロピルリンゴ酸、ニトリロ三酢酸、１，６−ジアミノヘキサン−Ｎ，Ｎ，Ｎ’，Ｎ’−四酢酸、ジエチレントリアミン五酢酸、ジエチレントリアミン六酢酸、トリシン、ビシン又はランチオニン或いはこれらの二種類又はそれ以上を含む混合物のアニオンである、請求項１ないし４のいずれか１項に記載のインク。
【請求項６】
前記式（１）の化合物が、グルコン酸銅である、請求項１又は２のいずれか１項に記載のインク。
【請求項７】
前記着色料が、染料又は複数の染料の混合物である、請求項１ないし６のいずれか１項に記載のインク。
【請求項８】
（ａ）７０ないし９９．８部の水性媒体；
（ｂ）合計０．０１ないし３０部の着色料；
（ｃ）合計０．０１ないし３０部の式（１）の化合物；及び
（ｄ）合計０ないし３０部の更なる有機酸；
を含み、ここにおいて全ての部は重量により、そして部の数は（ａ）＋（ｂ）＋（ｃ）＋（ｄ）＝１００である、請求項１ないし７のいずれか１項に記載のインク。
【請求項９】
請求項１で定義された式（１）の化合物で、被覆又は含浸された支持体。
【請求項１０】
式（１）の化合物、液体媒体及び所望により結合剤を含む組成物で、被覆又は含浸された、請求項９に記載の支持体。
【請求項１１】
前記結合剤が、所望により多孔性無機粒子を含む、水溶性又は水散逸性の高分子又は重合可能な結合剤である、請求項１０に記載の支持体。
【請求項１２】
前記支持体が、紙、オーバーヘッドプロジェクターのスライド又は織物材料である、請求項９ないし１１のいずれか１項に記載のインク。
【請求項１３】
インクジェット印刷機で支持体に着色料を含むインクを塗布して、前記着色料が支持体上に位置した場合に、請求項１で定義した式（１）の化合物と接触するようにさせることを含む、支持体上にイメージを印刷する方法。
【請求項１４】
前記着色料を含むインクが、請求項１で定義したインクである、請求項１３に記載の方法。
【請求項１５】
前記支持体が、請求項１で定義した式（１）の化合物で被覆又は含浸されている、請求項１３又は１４のいずれか１項に記載の方法。
【請求項１６】
請求項１で定義した式（１）の化合物及び液体媒体を含む組成物が、イメージを保持する又はイメージを保持するであろう支持体上の部分に、インクジェット印刷機によって、イメージを印刷する前、最中又は後に塗布される、請求項１３ないし１５のいずれか１項に記載の方法。
【請求項１７】
（ａ）０．０１ないし３０部の式（１）の化合物；
（ｂ）０．０１ないし３０部の結合剤；
（ｃ）０．０１ないし９９．９７部の水溶性有機溶媒；
（ｄ）０．０１ないし９９．９７部の水；及び
（ｅ）０ないし３０部の更なる有機酸；
を含み、ここにおいて全ての部は重量により、そして部の合計の数は（ａ）＋（ｂ）＋（ｃ）＋（ｄ）+（ｅ）＝１００である、組成物。
【請求項１８】
請求項１ないし８のいずれか１項に記載のインク、又は水及び請求項１で定義した式（１）の化合物を含む混合物を含む、インクジェット印刷機用カートリッジ。
【発明の詳細な説明】
【０００１】
本発明は、インクジェット印刷（ＩＪＰ）における使用に特に適した水性組成物、このような組成物を保持する支持体、組成物を含むカートリッジ及びインクジェット印刷の方法に関する。
【０００２】
ＩＪＰは、ノズルを支持体と接触させることなく、インクの液滴が微細なノズルを通って支持体上に射出される非衝撃性印刷技術である。ＩＪＰで使用される染料及びインクには、多くの厳しい性能の要求がある。例えば、これらは、好ましくは良好な耐水堅牢度、耐光堅牢度及び光学濃度を有する、鮮明で、そして滲みのないイメージを提供する。支持体に塗布された場合、汚れを避けるために、インクはしばしば迅速に乾燥することが要求されるが、しかしこれらはインクジェットのノズルの先端に、印刷機の作動を停止するような塊を形成してはならない。インクは、更に微細なノズルを閉塞するような、沈殿物を沈積又は形成することなく、長期間の貯蔵に安定でなければならない。
【０００３】
ある種の形の可溶性遷移金属イオンを、ＩＪＰ用のインクに組み込むことは、向上された耐光堅牢度を示す印刷物を提供することが見出された。この効果は、これらの可溶性遷移金属イオンを含む組成物が、別個に支持体に加えられた場合又はインクジェット印刷の前、最中若しくは後で支持体によって保持された場合に達成されることが更に見出された。
【０００４】
本発明によれば：
ａ）水性媒体；
ｂ）着色料；及び
ｃ）以下の式（１）：
Ｍ［Ｘ］n          （１）
［式中：
Ｍは、銅、ニッケル、コバルト及びマンガンカチオンであり；
Ｘは、少なくとも４個の炭素原子を含むカルボン酸アニオンであり；そして
ｎは、それぞれを含み１ないし２である；］
の化合物；
を含むインクが提供される。
【０００５】
Ｍで示されるカチオンは、銅、ニッケル、コバルト及びマンガンカチオンのいずれか１種類、又は２種類若しくはそれ以上のこのようなカチオンの混合物であることができる。好ましくはＭは、銅又はニッケルである。Ｍが、銅（Ｉ）又は、更に好ましくは、銅（ＩＩ）であることが特に好ましい。
【０００６】
Ｘは、好ましくは４ないし２０個、更に好ましくは４ないし８個（酸基の炭素原子を含め）の炭素原子を含むカルボン酸アニオンである。炭素原子は、好ましくは環状基又は直鎖若しくは分枝鎖で配置される。
【０００７】
好ましい環状基は、５−ないし６員の環であり、特に同素環又は複素環である。同素環の例は、フェニル、ナフチル、シクロペンチル及びシクロヘキシル環を含む。複素環の例は、チオフェン及び特にフラニル、ジヒドロフラニル、テトラヒドロフラニル、ピラニル、ジヒドロピラニル及びテトラヒドロピラニル環を含む。
【０００８】
式（１）の化合物は、好ましくはＸで示される基及びＭで示されるカチオン間の錯体の形である。好ましい態様において、Ｘは、Ｍに対して二座配位又は多座配位リガンドであり、特にＭに対して、二座配位、三座配位、四座配位、五座配位又は六座配位リガンドである。従ってＸは、好ましくは一つ又はそれ以上の電子供与体基を持つ。これらの電子供与体基は、カルボン酸アニオン（即ち−ＣＯＯ-）との組み合わせで働いて、ＸをＭに強固に結合し、これによってＭが周囲に脱離する、又は遊離金属イオンに伴なういかなる好ましくない特性を有する可能性をも低下する。
【０００９】
式（１）の化合物は、更にＭで示される金属カチオンに配位結合している他の小さい分子を有することができ、例えばＨ2Ｏ分子は、通常これらの酸素原子の電子の孤立電子対によって遷移金属に配位結合している。このような方法で、サリチル酸銅は、一般的に式Ｃｕ（サリチル酸）2・２Ｈ2Ｏを有し、ここでカルボン酸アニオンは、銅カチオンにイオン的に結合し、フェノールのヒドロキシ基はその酸素の電子を銅に与えて電子供与体として働き、そして二つの水分子は、その電子を銅に供与して、中央の銅カチオンの周りに“両錐体核（ｂｉｐｙｒａｍｉｄａｌ  ｓｈｅｌｌ）”と記述することができるものを与える。金属カチオンに配位結合している小さい分子を有するこのような化合物は、本発明の範囲に入ることは了解されるであろう。
【００１０】
電子供与体基は、遷移金属錯体に通常使用されるもの、特に酸素（例えばヒドロキシ又はエーテル）、硫黄（例えばチオール又はチオエーテル）、アミノ（第一、第二、第三又は−Ｎ＝Ｎ−）、第三ホスフィン原子を含む基のいずれであってもよい。
【００１１】
電子供与体基及びＸ中のカルボキシルアニオンは、通常ＸとＭによって形成される錯体が熱的に安定であるように、例えばこれらが３−、４−、５−、６−、若しくは７員の環又はＭとの架橋、特に５−若しくは６員の環又は架橋を形成するように、それぞれに関して配置されるであろう。好ましくはＸは、−Ｎ＝Ｎ−基を含まない。
【００１２】
Ｘによって示される好ましいアニオンは、少なくとも４個の炭素原子を含む、更に特に単糖、二糖又は三糖のアニオン性カルボン酸の誘導体、例えばアルドン酸、（例えば６−ホスホグルコン酸）、そして特に、グルクロン酸、ムラミン酸及びシアル酸を含む、複素環カルボン酸アニオンである。
【００１３】
Ｘで示されるアニオンは、好ましくは式ＲＣＯＯ-のものであり、ここでＲは、置換されていてもよい少なくとも３個の炭素原子を含む有機基である。好ましくはＲは、置換されていてもよい３ないし１２個、更に好ましくは４ないし８個の炭素原子を含む有機基である。所望による置換基は、好ましくはヒドロキシ、スルホ、カルボキシ、リン酸、ホスホン酸、アミノ（−Ｎ＝Ｎ−を含むが、しかし更に好ましくは第一、第二又は第三アミノ）、アミド（特にＣ1-4−アルキルアミノ）、シアノ、アルコキシ（特にＣ1-4−アルコキシ）及びエステル（特に−ＣＯ2−Ｃ1-4−アルキル）から選択される。同様に所望によるＲに対する置換基は、チオール、チオアルコキシ（特にカルボキシ基を持っていてもよいＣ1-4−アルコキシ）又は第三ホスフィンであってもよい。好ましくは式（１）の化合物及びＲによって示される基は、−Ｎ＝Ｎ−基を含まない。
【００１４】
一つの態様において、Ｘによって示される好ましいアニオンは、一つ若しくはそれ以上のヒドロキシ基で置換されていてもよい、及び／又は一つ若しくはそれ以上のアミノ、エーテル、チオエーテル又はカルボニル基で中断されていてもよい４ないし８個の炭素原子（酸基の炭素原子を含む）を含むカルボン酸アニオンであり、例えば；酒石酸、シュウ酸、リンゴ酸、クエン酸である。Ｘがグルコン酸であることが特に好ましい。
【００１５】
Ｍと錯体を形成することができる少なくとも４個の炭素原子を含むカルボン酸アニオンの例は、以下の種類を含む：
（ｉ）環の第１の炭素原子にカルボン酸アニオン、そして環の第２の炭素原子に電子供与体基を持ち、ここで第１及び第２の炭素原子は一つの共有結合によって互いに分離されている、芳香族環を含む化合物。このような化合物の特定な例は、４−又は５−スルホサリチル酸、１−ヒドロキシ−２−カルボキシ−５−スルホナフタレン、４−又は５−スルホアントラニル酸、４−スルホ−Ｎ−フェニルアントラニル酸、４−又は５−ヒドロキシチオサリチル酸、４−又は５−スルホチオアントラニル酸、２，４−ジカルボキシチオフェノール、４−スルホフタル酸、１−ヒドロキシ−２，４−ジカルボキシナフタレン、２−アミノ−３−ヒドロキシ安息香酸、２，４，５−トリヒドロキシ安息香酸、２，２’−ジチオサリチル酸、１−チオ−２−カルボキシ−４−スルホナフタレン及び１−アミノ−２−カルボキシ−４−スルホナフタレンのアニオンを含む。；及び
（ｉｉ）鎖の第１の炭素原子にカルボン酸アニオン、そして鎖の第２の炭素原子に電子供与体基を持ち、ここで第１及び第２の炭素原子は、同じ炭素原子にあるか、又はこれらは１、２若しくは３個の共有結合によって互いに分離されている、炭素原子の脂肪族鎖を含む化合物。この態様において、電子供与体基は、鎖の部分を形成していても、又は鎖の側鎖であってもよい。このような化合物の特定の例は、エチレンジアミン四酢酸（“ＥＤＴＡ”）、クエン酸、酒石酸、Ｌ−チロシン、リンゴ酸、グルコン酸、粘液酸、キナ酸、ケリドン酸、３，３’−チオジプロピオン酸、メソ−２，３−ジメルカプトコハク酸、メルカプトコハク酸、２−イソプロピルリンゴ酸、ニトリロ三酢酸、１，６−ジアミノヘキサン−Ｎ，Ｎ，Ｎ’，Ｎ’−四酢酸、ジエチレントリアミン五酢酸、ジエチレントリアミン六酢酸、トリシン、ビシン及びランチオニンのアニオンを含む；
（ｉｉｉ）上記の２種類又はそれ以上を含む混合物。
【００１６】
了解されるであろうように、インクのｐＨは、多くの場合カルボン酸基が、アニオンの形であるか、そして電子供与体基が、アニオンとして働くより電子を供与することが可能な形でであるか否かを決定する。例えば、インクのｐＨは、異なったｐＫａの二つのカルボキシ基を持つ化合物が、これらのカルボキシ基の一つがカルボン酸アニオンの形を有し、そして他のカルボキシ基が電子供与体基として働く非イオン化の形を有することができるように選択することができる。従ってインクは、好ましくは式（１）の化合物が、Ｘによって示される基及びＭによって示されるカチオン間の錯体の形であるようなｐＨを有する。
【００１７】
Ｘによって示される好ましい基は、グルコン酸、ＥＤＴＡ、４−スルホサリチル酸及び５−スルホサリチル酸のアニオンである。
好ましい式（１）の化合物は、グルコン酸銅、ＥＤＴＡ銅、及び４−又は５−スルホサリチル酸銅である。
【００１８】
着色料は、好ましくは黄、マゼンタ、シアン又は黒の、好ましくは染料又は染料の混合物である。好ましい染料は、アゾ（好ましくはモノアゾ、ジスアゾ又はトリスアゾ）、キサンテン、フタロシアニン、トリフェノジオキサジン又はトリアリールメタン染料である。染料がアゾ染料、更に特にヒドラゾ互変異性形のアゾ染料であることが特に好ましい。
【００１９】
水性媒体は、好ましくは水及び有機溶媒の、好ましくは９９：１なし１：９９、更に好ましくは９９：１ないし５０：５０、そして特に９５：５ないし８０：２０の重量比の混合物を含む。
【００２０】
好ましくは有機溶媒は、水混和性の有機溶媒又はこのような溶媒の混合物である。好ましい水混和性有機溶媒は、Ｃ1-6アルカノール、好ましくはメタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノール及びシクロヘキサノール；直鎖アミド、好ましくはジメチルホルムアミド又はジメチルアセトアミド；ケトン及びケトンアルコール、好ましくはアセトン、メチルエチルケトン、シクロヘキサノン及びジアセトンアルコール；水混和性エーテル、好ましくはテトラヒドロフラン及びジオキサン；ジオール、好ましくは２ないし１２個の炭素原子を有するジオール、例えばペンタン−１，５−ジオール、エチレングリコール、プロピレングリコール、ブチレングリコール、ペンチレングリコール、ヘキシレングリコール及びチオジグリコール並びにオリゴ−及びポリ−アルキレングリコール、好ましくはジエチレングリコール、トリエチレングリコール、ポリエチレングリコール及びポリプロピレングリコール；トリオール、好ましくはグリセリン及び１，２，６−ヘキサントリオール；ジオールのモノ−Ｃ1-4−アルキルエーテル、好ましくは２ないし１２個の炭素原子を有するジオールのモノ−Ｃ1-4−アルキルエーテル、特に２−メトキシエタノール、２−（２−メトキシエトキシ）エタノール、２−（２−エトキシエトキシ）−エタノール、２−［２−（２−メトキシエトキシ）エトキシ］エタノール、２−［２−（２−エトキシエトキシ）−エトキシ］−エタノール及びエチレングリコールモノアリルエーテル；環状アミド、好ましくは２−ピロリドン、Ｎ−メチル−２−ピロリドン、Ｎ−エチル−２−ピロリドン、カプロラクタム及び１，３−ジメチルイミダゾリドン；環状エステル、好ましくはカプロラクトン；スルホキシド、好ましくはジメチルスルホキシド及びスルホランを含む。好ましくは水性媒体は、水及び２種類又はそれ以上、特に２ないし８種類の水混和性有機溶媒を含む。
【００２１】
特に好ましい水混和性有機溶媒は、環状アミド、特に２−ピロリドン、Ｎ−メチル−ピロリドン及びＮ−エチル−ピロリドン；ジオール、特に１，５−ペンタンジオール、エチレングリコール、チオジグリコール、ジエチレングリコール及びトリエチレングリコール；並びにジオールのモノ−Ｃ1-4−アルキル及びＣ1-4−アルキルエーテル、更に好ましくは２ないし１２個の炭素原子を有するジオールのモノ−Ｃ1-4−アルキルエーテル、特に２−メトキシ−２−エトキシ−２−エトキシエタノールである。
【００２２】
水及び一つ又はそれ以上の有機溶媒の混合物を含む、更なる適したインク媒体の例は、米国特許第４，９６３，１８９号、第４，７０３，１１３号、第４，６２６，２８４号、欧州特許出願公開ＥＰ４，２５１，１５０Ａ及び米国特許第５，２０７，８２４号に記載されている。
【００２３】
インクは、更にインクジェット印刷用インクに慣用的に使用される付加的な成分、例えば粘度及び表面張力改良剤、腐食防止剤、殺細菌剤、コゲーション（ｋｏｇａｔｉｏｎ）抑制添加剤、紙のねじれを減少する抗皺剤及びイオン性又は非イオン性であってもよい界面活性剤を含むことができる。
【００２４】
インクの耐光堅牢度を、インク中に更なる有機酸を含めることによって、なお更に改良することができることが見出された。従って、本発明の第１の側面によるインクは、好ましくは更なる有機酸、好ましくはカルボン酸、更に好ましくは脂肪族又は芳香族カルボン酸を含む。好ましくは更なる有機酸は、ＸＨとは異なった酸である。
【００２５】
更なるカルボン酸は、好ましくは１ないし５個、更に好ましくは１ないし４個のカルボキシ基を含む。カルボン酸は、更に一つ若しくはそれ以上の原子又はカルボキシ以外の基で置換されていてもよい。
【００２６】
好ましい脂肪族カルボン酸は、２０個まで、更に好ましくは２ないし１５個、そして特に２ないし１０個の炭素原子（酸、即ちＣＯ2Ｈ基中の炭素原子を含み）を含む。脂肪族カルボン酸は、飽和又は不飽和であってもよい。
【００２７】
好ましい飽和脂肪酸は、アルカン誘導体であり、そして好ましい不飽和脂肪酸は、アルケン及びアルキン誘導体である。脂肪酸が誘導されるアルカン、アルケン及びアルキン基は、直鎖、分枝鎖又は環であることができ、そして一つ若しくはそれ以上の基又は異種原子によって中断されていてもよい。好ましい中断原子及び基は、−Ｏ−、−Ｓ−、−ＮＲ1−、フェニル、ピペラジン、−Ｃ（Ｏ）Ｏ及び−Ｃ（Ｏ）−から選択され；ここでＲ1は、Ｈ、アルキル（好ましくはＣ1-4−アルキル）又はフェニルである。
【００２８】
カルボン酸が一つ若しくはそれ以上の原子又はカルボキシ以外の基によって更に置換されている場合、置換基は、好ましくは−ＯＨ、−ＮＨ2、−ＮＯ2、−ＳＨ、−ＳＯ3Ｈ、−ＰＯ3Ｈ2、ハロ（好ましくは−Ｆ又は−Ｃｌ）、Ｃ1-4−アルキル、Ｃ1-4−ヒドロキシアルキル、Ｃ1-4−アルコキシ及びＣ1-4−ヒドロキシアルコキシから選択される。カルボン酸が更に一つ又はそれ以上の−ＯＨ基で置換されていることが特に好ましい。
【００２９】
一つのカルボキシ基を含む好ましい飽和脂肪酸は、例えば酢酸、ホスホノ酢酸、プロピオン酸、酪酸、イソ酪酸、吉草酸、ドデカン酸及びシクロヘキサンカルボン酸を含む。
【００３０】
一つより多いカルボキシ基を含む好ましい飽和脂肪酸は、例えばシュウ酸、マロン酸、コハク酸、グルタル酸、アジピン酸、ピメリン酸、アゼライン酸、１，２，３，４−ブタン四カルボン酸、エチレンジアミン四酢酸、ジグリコール酸、イミノ二酢酸、１，１−シクロヘキサン二酢酸及びニトリロ三酢酸を含む。
【００３１】
好ましい不飽和脂肪酸は、例えばマレイン酸、フマル酸、シトラコン酸及びメサコン酸を含む。
一つ又はそれ以上の−ＯＨ基を持つ好ましい脂肪酸は、例えばグリコール酸、乳酸、タルトロン酸、リンゴ酸、クエン酸、酒石酸、アスコルビン酸、粘液酸及びグルコン酸を含む。
【００３２】
更なる有機酸が芳香族カルボン酸の場合、これは、好ましくは一つ若しくはそれ以上のカルボキシ基又はカルボキシ基を持つ基によって置換された、単環又は多環芳香族或いは複素芳香族基である。
【００３３】
好ましい単環芳香族基は、置換されていてもよいベンゼン、ピリジン、ピリドン、チオフェン及びフラン基を含む。
好ましい多環芳香族基は、環が互いに縮合している、又は一つの共有結合若しくは結合基によって結合している多環芳香族基を含む。好ましい結合基は、−Ｏ−、−Ｓ−、−ＮＲa−を含み、ここでＲaはＨ又はＣ1-4−アルキル、−Ｃ（Ｏ）−、アルキレン及びアルケニレン基である。
【００３４】
環が互いに縮合している好ましい多環芳香族基は、置換されていてもよいナフタレン、キノリン、インドリン及びベンゾフランを含む。
環が一つの共有結合又は結合基によって結合している好ましい多環芳香族基は、ビフェニル、スチルベン及びジフェニルメタンを含む。
【００３５】
芳香族基が、原子又はカルボキシ以外の基若しくはカルボキシ基を持つ基によって更に置換されている場合、好ましい置換基は、ハロゲン（特にＦ又はＣｌ）；−ＮＯ2；−ＣＦ3；−ＣＮ；−ＳＯ3Ｈ、−ＰＯ3Ｈ2；或いは−ＯＨ、−ＮＨ2、−ＮＯ2、−ＳＯ3Ｈ、−ＰＯ3Ｈ2若しくはハロゲンによって置換されていてもよいＣ1-6−アルキル、Ｃ2-6−アルケニル、Ｃ5-8−シクロアルキル又はＣ1-6−アルコキシ基；式−ＳＲ2又は−ＣＯＯＲ2の基、ここでＲ2は、Ｈ、Ｃ1-4−アルキル、Ｃ5-8−シクロアルキル又はフェニルである；並びに式−ＯＲ3、−ＣＯＲ3；−ＮＲ3Ｒ4、−ＳＯ2ＮＲ3Ｒ4、−ＳＯＲ3、−ＳＯ2Ｒ3、−ＮＲ3ＣＯＲ4、−ＣＯＮＲ3Ｒ4、又は−ＯＣＯＲ3の基、ここでＲ3及びＲ4は、それぞれ独立にＨ、Ｃ1-4−アルキル、Ｃ5-8−シクロアルキル、フェニルであるか、又はＲ3及びＲ4は、これらが結合している窒素といっしょに５又は６員の環、例えばピペラジン又はモルホリンを形成している基から選択される。
【００３６】
他の好ましい更なるカルボン酸は、単糖、二糖及び三糖の誘導体、例えばアルドン酸（例えば６−ホスホグルコン酸）、そして特にグルコン酸、ムラミン酸及びシアル酸である。
【００３７】
一つ又はそれ以上のカルボキシ基及び一つ又はそれ以上の−ＯＨ基を持つ好ましい芳香族酸の例は、例えばスルホサリチル酸及びスルホフタル酸を含む。
好ましくはインクは、黄、マゼンタ、シアン又は黒である。
【００３８】
インクは、好ましくは：
（ａ）７０ないし９９．８部の水性媒体；
（ｂ）合計０．０１ないし３０、更に好ましくは１ないし１０部の着色料；
（ｃ）合計０．０１ないし３０、更に好ましくは１ないし１０部の式（１）の化合物；及び
（ｄ）合計０ないし３０、更に好ましくは０．０１ないし１０部の更なる有機酸；
を含み、ここで全ての部は重量により、そして部の数（ａ）＋（ｂ）＋（ｃ）＋（ｄ）＝１００である。
【００３９】
本発明の第１の側面によるインクは、式（１）の化合物が省略された場合と比較して、改良された耐光堅牢度を有する。更なる有機酸の存在は、これをなお更に改良する。驚くべきことに、これらの改良は、通常インクジェット印刷用インクに対する、耐水堅牢度、明度、耐久性、貯蔵安定性及び信頼性のような他の高度に厳しい性能要求に逆に影響することなく達成することができる。
【００４０】
印刷物の耐光堅牢度が、式（１）の化合物を、印刷される支持体上又は支持体中に組み込むことによって更に改良することができることが見出された。この方法は、既存のインクの在庫品を再処方しなければならないことを回避し、そして更に繊細な型のインクジェット印刷機のヘッドのあるものに、好ましくない作動上の困難さを起こす付加物のいかなる可能性をも回避する。
【００４１】
本発明の第３の側面によれば、本明細書中で先に定義した式（１）の化合物で、被覆又は含浸された支持体が提供される。好ましい式（１）の化合物は、本発明の第１の側面に関して上記で検討した通りであり、特にグルコン酸銅である。
【００４２】
好ましくは支持体は、式（１）の化合物、及び液体媒体並びに所望による結合剤を含む組成物で含浸又は被覆される。
液体媒体は、好ましくは水、又は水及び有機溶媒を含む混合物を含む。
【００４３】
支持体は、好ましくは紙、プラスチック材料、織物、金属又はガラス、更に好ましくは紙、オーバーヘッドプロジェクターのスライド又は織物材料、特に紙である。支持体を被覆又は含浸するために適した好ましい組成物は：
（ａ）０．０１ないし３０、更に好ましくは１ないし１０部の式（１）の化合物；
（ｂ）０．０１ないし３０、更に好ましくは１ないし１０部の結合剤；
（ｃ）０．０１ないし９９．９７、更に好ましくは０．１ないし５０部の水混和性有機溶媒；
（ｄ）０．０１ないし９９．９７、更に好ましくは０．１ないし５０部の水；
（ｅ）０ないし３０、更に好ましくは０．１ないし１０部の更なる有機酸；
を含み、ここで全ての部は重量により、そして部の合計の数は（ａ）＋（ｂ）＋（ｃ）＋（ｄ）＋（ｅ）＝１００である。
【００４４】
支持体を被覆又は浸潤するために適した組成物は、好ましくは無色、薄く着色又は白色である。
結合剤は、好ましくは高分子又は重合可能な結合剤、更に好ましくは水溶性若しくは水散逸性の高分子又は重合可能な結合剤である。支持体は、好ましくは多孔性無機粒子、例えばアルミナ（特にベーヘマイト（ｂｏｅｈｅｍｉｔｅ））又はシリカ粒子、特に米国特許第５，８０４，２９３号に記載されているような、そのモードにおける粒子の大きさが１０マイクロメートルより小さい計算上の多モード粒子サイズ分布を有する、非晶質沈殿シリカ粒子、及び国際特許出願ＰＣＴ／ＵＳ９６／１９３６１、９頁、２１ないし２９行目で言及しているシリカ粒子を持ち、これらは本明細書中に参考文献として援用される。これらの粒子は、インクに対する支持体の吸収性を改良し、支持体に、より良好な耐水及び耐摩擦堅牢特性を与える。多孔性無機粒子は、結合剤の成分として支持体に組み込んでもよい。
【００４５】
好ましい水溶性結合剤は、デンプン、好ましくはヒドロキシアルキルデンプン、例えばヒドロキシエチルデンプン；セルロース、例えばセルロース、メチルセルロース、ヒドロキシエチルセルロース、ヒドロキシプロピルセルロース、ヒドロキシエチルメチルセルロース及びカルボキシメチルセルロース（及びその塩）、並びに酢酪酸セルロース；ゼラチン；ガム、例えばグアール、キサンタンガム、及びアラビアゴム；ポリビニルアルコール；ポリリン酸ビニル；ポリビニルピロリドン；ポリビニルピロリジン；ポリエチレングリコール；加水分解されたポリ酢酸ビニル；ポリエチレンイミン；ポリアクリルアミド、例えばポリアクリルアミド及びポリ（Ｎ，Ｎ−ジメチルアクリルアミド）；アクリルアミド−アクリル酸コポリマー；ポリビニルピリジン；ポリリン酸ビニル；ビニルピロリドン−酢酸ビニルコポリマー；ビニルピロリドン−スチレンコポリマー；ポリビニルアミン；ポリ（ビニルピロリドンジアルキルアミノアルキルアルキルアクリラート）、例えばポリビニルピロリドン−ジエチルアミノメチルメタクリラート；酸官能アクリル酸ポリマー及びコポリマー、例えばポリ（メタ）アクリル酸並びに（メタ）アクリル酸及び他の（メタ）アクリラートモノマーのコポリマー；アミン官能アクリル酸ポリマー及びコポリマー、例えばポリジメチルアミノエチルメタクリラート；酸又はアミン官能ウレタンポリマー、好ましくはジメチロールプロパン酸及び／又は側鎖若しくは末端ポリエチレングリコールを含むもの；イオン性ポリマー、特にカチオン性ポリマー、例えばポリ（塩化Ｎ，Ｎ−ジメチル−３，５−ジメチレンピペリジニウム）；ポリエステル、好ましくは水溶性化基、特に酸基を持つもの、例えばポリオールをソジオスルホイソフタル酸と重合することによって得ることが可能なポリエステルを含む。
【００４６】
好ましい水散逸性結合剤は、水散逸性ポリマー更に好ましくはラテックスポリマー、例えばカチオン性、非イオン性及びアニオン性スチレン−ブタジエンラテックス；酢酸ビニル−アクリル酸コポリマーラテックス；第四アンモニウム基を持つアクリル酸コポリマーラテックス、例えばポリメチルアクリラート塩化トリメチルアンモニウムラテックス；並びにポリ（アクリラート）、ポリ（メタクリラート）、ポリエステル、ポリウレタン又はビニルポリマー及びこれらのコポリマーの分散物である。ポリマー分散物は、好ましくは乳化、懸濁、塊状又は溶液重合、それに続く水への分散によって調製される。
【００４７】
結合剤は、単一の結合剤を含むことができ、又は２種類若しくはそれ以上の結合剤、特に先に記載した好ましい結合剤の混合物を含むことができる。結合剤は、更にＰＰＧ  Ｉｎｄｕｓｔｒｉｅｓ  Ｉｎｃ．から入手可能なＱｕｉｋｏｔｅTM被覆材料であってもよい。得られた支持体の色の滲みは、結合剤が（１）オニウム基を実質的に含まない水溶性皮膜形成有機ポリマー、及び（２）本質的にオニウムを含むｍｅｒ単位からなる、水溶性又は水分散性オニウム付加ポリマーを含む場合、減少又は排除さえすることができる。好ましくは結合剤と式（１）の化合物の重量比は、９９：１ないし１：９９、更に好ましくは８０：２０ないし２０：８０である。
【００４８】
好ましい水混和性有機溶媒は、本発明の第１の側面のインクに関して先に記載した通りである。
式（１）の化合物及び結合剤は、好ましくは液体媒体中に分散又は更に好ましくは溶解する。
【００４９】
式（１）の化合物で支持体を被覆又は浸潤するための好ましい方法は、例えば浸漬被覆、リバースロール塗布、Ｋ−バー塗布、噴霧及びインクジェット印刷を含む。
【００５０】
支持体が、式（１）の化合物で液体媒体との混合物の形で、インクでインクジェット印刷する前に被覆又は含浸される場合、被覆又は含浸された支持体を、インクが塗布される前に乾燥することが好ましい。いかなる適当な乾燥方法、例えば熱空気乾燥を使用することができる。
【００５１】
本発明の第４の側面によれば、インクジェと印刷機によって着色料を含むインクを、着色料が支持体上に位置した場合に、本明細書中で先に定義した式（１）の化合物と接触するように、支持体に塗布することを含む、支持体上にイメージを印刷する方法が提供される。
【００５２】
着色料が、支持体上に位置した場合に、式（１）の化合物と接触することを確実にする多くの方法がある。例えば、本発明のこの第４の側面の方法は、本発明の第１の側面で定義したインクを使用することができる。この方法により、着色料及び式（１）の化合物は、両者ともインク中に存在し、支持体上に印刷されるまでそのままいっしょにあることを確実にする。数種の異なったインクを含むインクジェット印刷機、例えば黄、マゼンタ、シアン及び黒のインクを有する全色印刷機において、一つ又は一つより多いインク中に、式（１）の化合物を含めることができる。式（１）の化合物を含まないいかなるインクも、全色印刷物を得るために通常起こる、支持体上のインク間の重なり合いの効果によって、これとなお接触することができる。
【００５３】
もう一つの方法は、本発明のこの第４の側面の方法を、本発明の第３の側面で定義したような支持体上で行うことである。この方法において、着色剤は、被覆又は含浸された支持体中に存在する式（１）の化合物と接触する。更に、インクの現在の在庫を再処方する必要がなく、又は繊細なインクジェット印刷機のヘッドの閉塞問題の危険をおかす必要がない。
【００５４】
第３の方法は、式（１）の化合物及び液体媒体を含む組成物、好ましくは無色又は薄く着色した組成物を、イメージを持つか、又はイメージを持つであろう支持体の部分にイメージの印刷の前、最中又は後に、インクジェット印刷機によって塗布することである。液体媒体は、着色料を含まないことを除いて、好ましくはインクに関して先に記載した通りである。インク、及び式（１）の化合物を含む無色又は薄く着色された組成物に使用される特定の液体媒体は、異なっていても、又は同じであってもよい。
【００５５】
着色料が支持体上に位置した場合に、式（１）の化合物と接触することを確実にする上記の方法は、単独で、いかなる二つの方法の組み合わせで、又は実際三つの全てをいっしょに使用することができる。
【００５６】
本発明のこの第４の側面において、インクジェット印刷機は、好ましくは支持体にインク又は無色の組成物を、支持体上に小さいオリフィスを通して射出される液滴の形で塗布する。好ましいインクジェット印刷機は、圧電式インクジェット印刷機及び熱式インクジェット印刷機である。熱式インクジェット印刷機において、熱のプログラムされたパルスが、オリフィスに隣接した抵抗器によって容器中のインク又は無色の組成物に加えられ、これによって、支持体及びオリフィスの相対的な動きの中で、オリフィスから小さい液滴の形で支持体に向かってインク又は無色の組成物を射出させる。圧電式インクジェット印刷機においては、小さい結晶の振動が、オリフィスからインク又は無色の組成物を射出させる。
【００５７】
支持体は、好ましくは紙、プラスチック、織物、金属又はガラス、更に好ましくは紙、オーバーヘッドプロジェクターのスライド又は織物材料、特に紙である。
好ましい紙は、普通紙又は酸性、アルカリ性若しくは中性の特性を持っていてもよい処理紙である。商業的に入手可能な処理紙の例は、ＨＰ  Ｐｒｅｍｉｕｍ  Ｃｏａｔｅｄ  Ｐａｐｅｒ（Ｈｅｗｌｅｔｔ  Ｐａｃｋａｒｄ  Ｉｎｃから入手可能）、ＨＰ  Ｐｈｏｔｏｐａｐｅｒ（Ｈｅｗｌｅｔｔ  Ｐａｃｋａｒｄ  Ｉｎｃから入手可能）、Ｓｔｙｌｕｓ  Ｐｒｏ  ７２０ｄｐｉ  Ｃｏａｔｅｄ  Ｐａｐｅｒ，Ｅｐｓｏｎ  Ｐｈｏｔｏ  Ｑｕａｌｉｔｙ  Ｇｌｏｓｓｙ  Ｆｉｌｍ（Ｓｅｉｋｏ  Ｅｐｓｏｎ  Ｃｏｒｐ．から入手可能）、Ｅｐｓｏｎ  Ｐｈｏｔｏ  Ｑｕａｌｉｔｙ  Ｇｌｏｓｓｙ  Ｐａｐｅｒ（Ｓｅｉｋｏ  Ｅｐｓｏｎ  Ｃｏｒｐ．から入手可能）、Ｃａｎｏｎ  ＨＲ１０１  Ｈｉｇｈ  Ｒｅｓｏｌｕｔｉｏｎ  Ｐａｐｅｒ（Ｃａｎｏｎから入手可能）、Ｃａｎｏｎ  ＧＰ２０１  Ｇｌｏｓｓｙ  Ｐａｐｅｒ（Ｃａｎｏｎから入手可能）、及びＣａｎｏｎ  ＨＧ１０１  Ｈｉｇｈ  Ｇｌｏｓｓ  Ｆｉｌｍ（Ｃａｎｏｎから入手可能）を含む。これらの紙は、その製造中に、式（１）の化合物を含むように容易に変更することができる。例えば、ＰＰＧの米国特許第５，８８０，１９６号の実施例１、又は米国特許第５，８０４，２９３号の実施例１ないし１１０、或いは米国特許第４，８９２，７７９号の実施例中に記載されている方法を、式（１）の化合物をこれらの実施例中に記載されている被覆組成物中の成分として含めるように変更して、行うことができる。
【００５８】
支持体が織物材料の場合、インク又は溶液は、好ましくは織物材料にインクジェット印刷機によって塗布され、その後印刷された織物材料を５０℃ないし２５０℃の温度に加熱する。
【００５９】
好ましい織物材料は、天然、合成及び半合成生地である。好ましい天然織物材料の例は、羊毛、絹、毛及びセルロース系生地、特に木綿、ジュート、大麻、亜麻及びリネンを含む。好ましい合成及び半合成の生地の例は、ポリアミド、ポリエステル、ポリアクリロニトリル及びポリウレタンを含む。
【００６０】
本発明の第４の側面において言及した組成物は、好ましくは無色である。この場合、インク及び無色の溶液は、好ましくは支持体に異なったノズルから塗布される。例えば、全色インクジェット印刷機の場合、式（１）の化合物を含んでいても又は含んでいなくともよい着色されたインクは、インクジェット印刷機によって、式（１）の化合物を含む薄く着色された又は無色の組成物とは異なったノズルから支持体に塗布される。適当なインクジェット印刷機及びその制御の方法は、欧州特許第６５７  ８４９号に記載されている。
【００６１】
本発明の第５の側面によれば、本発明の第１又は第２ので定義されたようなインク、或いは液体媒体及び式（１）の化合物を含む組成物、好ましくは無色又は薄く着色された組成物を含む（好ましくは支持体を被覆又は含浸するための組成物に関して先に定義したような）、インクジェット印刷機用カートリッジが提供される。
【００６２】
本発明は、以下の実施例によって更に例示され、これらにおいて全ての部は重量である。
実施例１
以下の組成を有するインクを調製した。
インク１
４部のグルコン酸銅
３．５部のＰｒｏｃｉｏｎ（登録商標）Ｒｅｄ  ＰＸ−６Ｂ
５部の２−ピロリドン
５部のチオジグリコール
２部のＳｕｒｆｙｎｏｌ  ４６５（非イオン性界面活性剤）
ｐＨを５に調節するために充分な水酸化ナトリウム
水で１００部に調整
比較インクＡ
４部の水を４部のグルコン酸銅の代わりに使用した以外は、インク１と同一のインクを調製した。
インク２
４部のグルコン酸銅
３．５部のＣ．Ｉ．酸性赤２８９
５部の２−ピロリドン
５部のチオジグリコール
２部のＳｕｒｆｙｎｏｌ  ４６５（非イオン性界面活性剤）
ｐＨを５に調節するために充分な水酸化ナトリウム、そして水で１００部に調整。
比較インクＢ
４部の水を４部のグルコン酸銅の代わりに使用した以外は、インク２と同一のインクを調製した。
【００６３】
耐光堅牢度の測定
インクを、ＳＥＣ  Ｓｔｙｌｕｓ  Ｐｒｏ  Ｐｒｉｎｔｅｒを使用して支持体上に印刷した。
【００６４】
乾燥後、印刷物を、半分を覆ってＡｔｌａｓ  Ｃｉ３５ａウェザロメーターに設置し、そして６４時間照射した。印刷物を取り出し、そして暴露した部分及び覆われた部分の反射された光学濃度を、Ｘ−ＲｉｔｅTM９３８濃度計を使用して測定した。これらの記録を使用して、照射後の光学濃度の損失パーセントを計算した。
【００６５】
Ｇｉｌｂｅｒｔ  Ｂｏｎｄ  Ｐａｐｅｒ及びＰｒｅｍｉｕｍ  Ｇｌｏｓｓｙ  Ｐａｐｅｒ上のインクにより得られた結果を、それぞれ表１及び表２に示す。
【００６６】
【表１】
2002533524.tif 000001
【００６７】
【表２】
2002533524.tif 000002
【００６８】
実施例２
インク３及び４
インク３及び４を、４部のグルコン酸銅の代わりに、４部のエチレンジアミン四酢酸銅（ＩＩ）（“ＣｕＥＤＴＡ”）を使用した以外は、実施例１のインク１及び２に記載したものと同一の処方で調製した。
【００６９】
実施例３
インク５
Ｐｒｏ−Ｊｅｔ  Ｆａｓｔ  Ｍａｇｅｎｔａ  ２（０．３ｇ）を、水（８．２５ｇ）中に、ＮａＯＨを使用してｐＨを８．５に調節することによって溶解した。２−ピロリドン（０．７５ｇ）、プロパン−１，３−ジオール（０．５ｇ）、Ｓｕｒｆｙｎｏｌ  ４６５（０．２ｇ）、及びコバルト（４−スルホサリチル酸）2・２Ｈ2Ｏ錯体（“ＣｏＳａｌ”、０．２ｇ）を加え、そしてインクを室温で撹拌し、次いでＨＰ５６０インクジェット印刷機のカートリッジの中に入れ、そして紙に印刷した。
【００７０】
得られた印刷物が乾燥した後、これを半分覆ってＡｔｌａｓ  Ｃｉ３５ａウェザロメーターに設置し、そして４８時間照射した。印刷物を取り出し、そして印刷物の照射された部分及び被覆した部分間の色強度の差（ΔＥ）を、Ｘ−Ｒｉｔｅ分光濃度計で測定した。
インク６
インクを、コバルト（４−スルホサリチル酸）2錯体（０．２ｇ）の代わりにニッケル（ＩＩ）（４−スルホサリチル酸）2・２Ｈ2Ｏ錯体（“ＮｉＳａｌ”０．２ｇ）を使用した以外は、インク５に対して記載した通りに正確に調製した。
比較インクＣ
インクを、ＣｏＳａｌを省略した以外は、インク５に対して記載した通りに正確に調製した。
【００７１】
インク５、６及びＥに対するΔＥの結果を以下の表３に示す。ΔＥの低い数字は、低い退色、即ち高い耐光堅牢度を示す。
【００７２】
【表３】
2002533524.tif 000003
【００７３】
実施例４
被覆組成物は、本明細書中に参考文献として援用される、米国特許第５，８８０，１９６号の１２欄３９行目ないし１４欄２５行目に記載されている方法によって調製することができる。この組成物に以下の表４に示した以下の添加物を、第２列に示した重量％で加えることができる。
【００７４】
【表４】
2002533524.tif 000004
【００７５】
上記の表４に記載したそれぞれの被覆組成物を、ポリ（テレフタル酸エチレン）支持体に塗布し、そして本明細書中に参考文献として援用される、米国特許第５，８８０，１９６号の１４欄２６ないし３３行目に記載されている方法によって印刷することができる。
【００７６】
実施例５
以下の組成を有するインクを調製した。
インク７
２部のＥＤＴＡ銅
２．５部のＰｒｏ−Ｊｅｔ（登録商標）Ｆａｓｔ  Ｂｌａｃｋ  ２
２．５部のＰｒｏ−Ｊｅｔ（登録商標）Ｂｌａｃｋ  ＯＡＭ
９部の２−ピロリドン
９部のチオジグリコール
２部のシクロヘキサノール
ｐＨを９に調節するために充分な水酸化リチウム
水で１００部に調整
比較インクＤ
２部の水を、２部のＥＤＴＡ銅の代わりに使用した以外は、インク７と同一のインクを調製した。
【００７７】
インクを、Ｃａｎｏｎ４３００印刷機を使用して支持体に印刷し、そして得られた印刷物が乾燥した後、これを半分覆ってＡｔｌａｓ  Ｃｉ３５ａウェザロメーターに設置し、そして１００時間照射した。印刷物を取り出し、そして印刷物の照射された部分及び被覆した部分の色強度の差（ΔＥ）を、Ｘ−Ｒｉｔｅ分光濃度計で測定した。
【００７８】
【表５】
2002533524.tif 000005
【００７９】
【表６】
2002533524.tif 000006